(57)【特許請求の範囲】
【請求項１】
電池を収納する電池収納室と、
前記電池収納室内に設けられ、前記電池収納室内に収納された前記電池と接触する電池接片とを備えた電子機器であって、
前記電池切片には、前記電池収納室に前記電池が収納されることで回動する腕部と、前記腕部の一部を回動軸と直交する方向に折り曲げることで、前記腕部の表面から突出させた円弧形状の接触部とが形成されることを特徴とする電子機器。
【請求項２】
前記腕部の先端部が前記電池の挿入方向に折り曲げられ、前記腕部の一定量以上の回動を制限することを特徴とする請求項１に記載の電子機器。
【請求項３】
前記電池収納室には穴部が形成されるとともに、前記電池切片には前記穴部に嵌入する弾性部が形成されることを特徴とする請求項１または２に記載の電子機器。
【発明の詳細な説明】
【技術分野】
【０００１】
電池を収納することができるカメラ等の電子機器に関するものである。
【背景技術】
【０００２】
電池端子には酸化皮膜が形成されたり、油汚れ等が付着したりすることがあり、これにより導通不良の原因となっていることが知られている。そこで、これらの異物を除去するためには、電池端子面をヤスリ等で擦ったりする必要がある。
【０００３】
しかし、上記の処理は、ユーザにとって負担となり、また面倒な処理である。そこで、電子機器内に電池を装填して電池蓋を閉じるという一連の動作の中で、電池端子面をヤスリで擦ることと同等の効果が得られるような電池収納構造とすることが必要となってくる。
【０００４】
したがって、従来では、電子機器の電池室内に設けられた接片のうち、電池端子と接触する接触部をピンのように鋭利にし、電池を電池室内に収納する際の電池を押す力の作用によって、接触部と電池端子面が擦れるようにしている。このような構成は、例えば、高い電圧を必要とする電子機器において見られる。
【発明の開示】
【発明が解決しようとする課題】
【０００５】
近年、電子機器のハイスペック化に伴い、電力の消費量が増加する傾向にあるが、電池駆動の機器においては電力の消費量が増加しても動作時間を減らさないことが急務となっている。特にデジタルカメラでは、一時的に高い電圧を必要とするにも係らず、単３形電池を電源とした機種が多く存在する。このように単３形電池を用いた場合では、電子機器での電圧の低下を招く導通不良を防ぐことや、接触抵抗を下げることが課題となっている。
【０００６】
しかし、従来の接触部の形状（尖った形状）では、深いくい込みのため（接触部が電池端子面に突き当たった状態となるため）、電池挿入時の力の作用だけでは、接触部が電池端子面を摺動せずに電池が装填されてしまい、電池端子面に生じた酸化皮膜や油汚れ等を良好には除去できないことがある。しかも、電池端子面および接触部間の大きな摩擦抵抗によって、電池が接片に接触した際に、電池挿入方向に対して傾いて電池室の壁面に当接してしまい、電池端子と電子機器の接片との接触圧が低下して、接触抵抗を増やしてしまうなどの問題点がある。
【０００７】
そこで、本発明の目的は、電池端子面に生じた酸化皮膜や汚れ等を容易に除去したり、電池端子面と電子機器の接片との接触抵抗を軽減したりすることができる電子機器を提供することにある。
【課題を解決するための手段】
【０００８】
本発明の電子機器は、電池を収納する電池収納室と、前記電池収納室内に設けられ、前記電池収納室内に収納された前記電池と接触する電池接片とを備えた電子機器であって、前記電池切片には、前記電池収納室に前記電池が挿入される際に、前記電池の挿入方向に対して直交する方向に回動する腕部と、前記腕部の一部を回動軸と直交する方向に折り曲げることで、前記腕部の表面から突出させた円弧形状の接触部とが形成されることを特徴とする。
【発明の効果】
【０００９】
本発明によれば、電池を電池収納室内に収納したときに、電池切片の腕部が回動することで、接触部を電池の電極部に対して摺動させることができる。これによって、電池の表面に生じた酸化被膜や汚れ等を良好に取り除くことができる。
【発明を実施するための最良の形態】
【００１４】
以下、本発明の実施例について説明する。
【実施例１】
【００１５】
図６に、本発明の実施例１であるデジタルカメラ（電子機器）の外観図を示す。同図において、１０１はカメラ本体であり、この内部には撮影を可能とするための各種の部材、例えば、光学像を光電変換して画像データを生成する撮像素子（ＣＣＤやＣＭＯＳイメージセンサ等）、ローパスフィルタおよびカメラ全体の動作を制御する制御回路が配置されている。
【００１６】
１０２は撮影レンズを有するレンズ鏡筒であり、光軸方向に繰り出したり繰り込んだりすることによって撮影光学系の焦点距離を変更することができる。１０３はレリーズボタンであり、半押しによって撮影準備動作（焦点調節動作および測光動作）が開始され、全押しによって撮影動作（撮像素子で読み出された画像データの記録媒体への記録）が開始される。
【００１７】
１０４はファインダ光学系の窓部であり、撮影者はファインダ光学系を介して被写体像を観察することができる。１０５は、被写体輝度を測定（測光）する測光センサの窓部である。測光センサでの測光結果は、カメラ本体１０１内の制御回路に送られ、制御回路で露出値（シャッタ速度や絞り値）が演算される。１０６は、被写体に照明光を照射する照明ユニットの窓部である。
【００１８】
カメラ本体１０１の底面には電池蓋６が回転可能に取り付けられており、電池蓋６は、この回転動作によって、カメラ本体１０１内に設けられ、電池を収納する電池室の開口部を開閉する。
【００１９】
図１（Ａ）は、本実施例のカメラの縦断面図であって、電池室を含む断面図を示しており、図１（Ｂ）は、電池室内に設けられる電池接片を示している。また、図２は、電池を電池室内に収納する際における、電池および電池接片の接触状態を示した図であり、同図（Ａ）はｘ方向から見た図であり、（Ｂ）はｙ方向から見た図を示している。
【００２０】
なお、ｘ方向はカメラの高さ方向（もしくは横方向）を示し、ｙ方向はカメラの厚み方向を示し、ｚ方向はカメラの横方向（もしくは高さ方向）を示している。
【００２１】
図１及び図２を用いて電池室における構造について説明する。なお、電池室以外の構造については従来のカメラと同様の構造であるため説明を省略する。
【００２２】
１はカメラ本体１０１内に設けられた電池室であり、単３形電池２を収納可能とする。３は電池室１内に設けられた電池接片であり、電池室１内に収納された電池２のマイナス電極と接触する。
【００２３】
電池接片３は、図１（Ｂ）や図２に示すように１枚の弾性を有する金属板材を曲げ形成することによって作製されており、腕部３ａを有している。また、腕部３ａには、電池２のマイナス電極と接触する接触部３ｂが形成されている。接触部３ｂは、図２（Ｂ）に示すように、腕部３ａの側縁における一部を、後述する腕部３ａの回動軸ｘに直交する方向（ｚ方向）に折り曲げ形成することによって腕部３ａの上面から突出するようになっており、この接触部３ｂの先端は、半円状に形成されている。
【００２４】
ここで、腕部３ａの幅および厚みは、接触部３ｂを介して電池２の電極部に、十分な接触圧を与えることができるように設定されている。また、電池接片３は、曲率を有する凸状の弾性部３ｃを有している。
【００２５】
さらに、腕部３ａの先端部３ｄは、電池の挿入方向に折り曲げられており、腕部３ａが弾性変形しながら回動したときに、腕部３ａの一定量以上の回動を制限することにより電池接片３が塑性変形するのを防ぐ。
【００２６】
４は電池室１内に設けられた電池接片であり、電池室１内に収納された電池２のプラス電極と接触する。この電池接片４は、電池接片３と概ね同様の形状となっており、電池接片３における先端部３ｄに相当する部分が設けられていないものである。
【００２７】
５は、電池蓋６に設けられた電池接片であり、電池室１内に収納された電池２のマイナス電極やプラス電極と接触する。ここで、電池室１内には、２つの電池２が収納されるようになっており、これらの電池２は電池接片５によって直列接続されている。
【００２８】
次に、電池接片３、４を電池室１内に取り付ける方法について説明する。
【００２９】
まず、電池接片３、４をスライドさせながら電池室１に設けられた溝部７に挿入することによって、電池接片３、４を電池室１に組み込む。ここで、電池室１には不図示の穴部が設けられており、この穴部に電池接片３（４）の弾性部３ｃをはめ込む。このように弾性部３ｃを穴部にはめ込むことにより、弾性部３ｃが穴部内で固定され、電池接片３を電池室１内にガタなく取り付けることができる。
【００３０】
また、電池接片３（４）に設けられたハンダ付け部８に、カメラ本体１０１内に配置されたリード線を半田付けする。これにより、電池２の電力は、リード線を介してカメラ本体１０１内に設けられた各種の電気素子に供給される。
【００３１】
上述した電池室１の構成において、電池２を電池室１内に装填して電池蓋６を閉めていくと、電池接片３は電池２に押し込まれて弾性変形する。このとき、電池接片３の腕部３ａは、その基端部（電池接片３の曲げ部分）を軸に回動し（ｘ軸周りに回動し）、腕部３ａに形成された接触部３ｂは、腕部３ａの回動に伴って電池２の電極面に対して−ｙ方向に摺動する。
【００３２】
ここで、電池接片３の接触部３ｂの先端は、上述したように半円状に形成されているため、接触部３ｂおよび電池２の電極部の接触面積を小さくでき、接触部３ｂが電池２の電極部に対してｙ方向に移動する際の摩擦力を低減できる。しかも、電池接片３は弾性変形しているため、接触部３ｂは、電池２の電極面に対してある程度の付勢力をもった状態で摺動することにより、電池２の電極面に生じた酸化被膜や汚れ等を効率良く擦り取ることができ、電池２の導通不良が発生するのを防止することができる。
【００３３】
また、同時に、接触部３ｂの先端は、上述したように半円状に形成されており、接触部３ｂおよび電池２の電極部の接触面積を小さくできることから、電池２が電池室１内でｙ方向において片寄るのを防止することができ、電池２の電極部および接触部３ｂでの接触圧の低下を防止できる。
【実施例２】
【００３４】
図３は、本発明の実施例２であるデジタルカメラ（電子機器）の縦断面図であって、電池室を含む断面図（図１（Ａ）と同様の断面）を示している。図４は本実施例における電池接片９の外観斜視図を示している。
【００３５】
また、図５は、電池室に電池を装填する際における電池接片９および電池の電極部との接触の様子を示した図であり、同図（Ａ）はｙ方向から見た図で、（Ｂ）はｘ方向から見た図である。なお、ｘ方向はカメラの高さ方向（もしくは横方向）を示し、ｙ方向はカメラの厚み方向を示し、ｚ方向はカメラの横方向（もしくは高さ方向）を示している。
【００３６】
本実施例のカメラの構造および電池室周辺の構造は、実施例１と概ね同様であり、同じ部材については同一符号を付している。本実施例は、電池室１内に設けられる電池接片９、１０の形状を変えたものである。また、本実施例における電池接片の取り付け方法は、実施例１で説明した場合と同様であるため、説明を省略する。
【００３７】
まず、電池室１内に配置され、電池２のマイナス電極に接触する電池接片９の形状について、図４を用いて説明する。なお、電池室１内に配置され、電池２のプラス電極に接触する電池接片１０の形状は電池接片９と同様であるため説明を省略する。
【００３８】
電池接片９は、ｙ方向に延び、ｘ方向で互いに向かい合う２つの第１の腕部９ａを有するとともに、ｙ方向に延びる１つの第２の腕部９ｃを有している。これらの腕部９ａ、９ｃは、図４に示すように曲げ形成されている。
【００３９】
第１の腕部９ａの先端には、電池２の電極部と接触する接触部９ｂが、第１の腕部９ａの回動軸ｘに直交する方向（ｚ方向）に折り曲げ形成されており、第２の腕部９ｃの先端には、電池２の電極部と接触する２つの接触部９ｄが、第２の腕部９ｃの回動軸ｘに直交する方向（ｚ方向）に折り曲げ形成されている。これらの接触部９ｂ、９ｄは、この幅が先端側に向かって狭くなるように形成されている。
【００４０】
また、電池接片９は−ｚ方向に突出する突出部９ｅを有しており、この突出部９ｅは電池室２に形成された不図示の穴部にはめ込まれる。これにより、電池接片９を電池室２にガタなく取り付けることができる。
【００４１】
本実施例の電池室１における構造において、電池２を電池室１内に装填していくと、電池２の電極部が腕部９ａ、９ｃから突出した接触部９ｂ、９ｄと接触する。このとき、電池２の電極部は、接触部９ｂ、９ｄの先端（エッジ）と接触している。
【００４２】
次に、電池蓋６を閉じていくと、電池蓋６が電池２を押し込むことにより、電池２が−ｚ方向に移動していく。このとき、電池２が電池接片９の腕部９ａ、９ｃを押し込むことにより、腕部９ａ、９ｃを弾性変形させる。すなわち、第１の腕部９ａは、屈曲した部分を中心としてｘ軸周り一方向に回動し、第２の腕部９ｃは、屈曲した部分を中心としてｘ軸周り他方向に回動する。
【００４３】
これにより、接触部９ｂは電池２の電極面に対して＋ｙ方向に摺動し、接触部９ｄは電池２の電極面に対して−ｙ方向に摺動する。ここで、腕部９ａ、９ｃが弾性変形しているため、接触部９ｂ、９ｄは、この先端において、電池２の電極面に対してある程度の付勢力をもった状態で摺動することになる。このため、電池２の電極面に酸化被膜や汚れ等が付着している場合には、接触部９ｂ、９ｄによって擦り取ることができ、上記の汚れ等による電池２の電極部および電池接片９（接触部９ｂ、９ｄ）の導通不良を防止することができる。
【００４４】
ここで、腕部９ａ、９ｃは、この長さおよび厚みが等しく、かつ２つの第１の腕部９ａの幅の合計と第２の腕部９ｃの幅とが等しくなるように形成されている。これにより、電池２の電極部に対する接触部９ｂの＋ｙ方向への摩擦力と、電極部に対する接触部９ｄの−ｙ方向への摩擦力が等しくなり、電池２が一方向（＋ｙ方向又は−ｙ方向）に片寄ることがなくなるとともに、確実に電池２の電極面を擦ることができる。
【００４５】
これにより、電池２が電池室１内で片寄って電池室１の内壁に接触することがなくなるため、電池２と電池接片９との接触圧の低下によって接触抵抗が増加するのを防止することができる。
【００４６】
なお、本実施例においては、電池接片９のうち電池２の電極部との接触を４点としているが、電池接片における腕部（接触部）の数を増やして電極部との接触点を増やしてもよい。また、本実施例では、図４に示すように、ｙ方向に延びる腕部としたが、ｙ方向およびｘ方向に延びる腕部を形成してもよい。
【００４７】
このように構成することで、電池の電極部および電池接片における接触抵抗をさらに低減することができる。
【００４８】
上述した実施例ではデジタルカメラについて説明したが、電池を収納することが可能な電子機器、例えば、携帯型のゲーム機やリモコンにも本発明を適用することができる。
【００４９】
また、上述した実施例では電池接片の腕部を曲げ形成して、この腕部を電池の収納動作に応じて回転させるようにしたが、各実施例における腕部に相当する電池接片を設け、この腕部を電池に対して付勢した状態で回動させる構成であればいかなる構成であってもよい。すなわち、この構成によって電池の表面に生じた酸化被膜や油汚れ等を除去することができる。
【図面の簡単な説明】
【００５０】
【図１】本発明の実施例１であるデジタルカメラのうち主に電池室の構造を示す断面図（Ａ）および電池接片の側面図（Ｂ）。
【図２】実施例１において、電池挿入時における電池および電池接片の接触状態を示す図（Ａ、Ｂ）。
【図３】本発明の実施例２であるデジタルカメラのうち主に電池室の構造を示す断面図。
【図４】実施例２における電池接片の外観斜視図。
【図５】実施例２において、電池挿入時における電池および電池接片の接触状態を示す図（Ａ、Ｂ）。
【図６】実施例１であるカメラの外観斜視図。
【符号の説明】
【００５１】
１  電池室
２  単３形電池
３  電池接片（−側）
３ａ  電池接片（−側）の腕部
３ｂ  電池接片（−側）の接触部
４  電池接片（＋側）
５  電池接片
６  電池蓋
７  溝部
８  ハンダ付け部
９  電池接片（−側）
９ａ  第１の腕部
９ｂ  接触部
９ｃ  第２の腕部
９ｄ  接触部
９ｅ  突出部
１０  電池接片（−側）
【図１】
0004764595.tif 000002
【図２】
0004764595.tif 000003
【図３】
0004764595.tif 000004
【図４】
0004764595.tif 000005
【図５】
0004764595.tif 000006
【図６】
0004764595.tif 000007